(57)【特許請求の範囲】
【請求項１】
（ａ）首部にねじ部が形成された二つの透明な容器、及び前記ねじ部で各容器を連結するコネクタを備えた容器ユニットと、
（ｂ）該容器ユニットを、前記コネクタを介して回転自在に、かつ、着脱自在に支持する支持装置とを有するとともに、
（ｃ）前記容器内に所定の量の流動体及び多数の有色の移動体が収容され、
（ｄ）前記コネクタは、内周面に、前記二つの容器のうちの一方の容器の首部を収容する第１の収容部、前記二つの容器のうちの他方の容器の首部を収容する第２の収容部、及び第１、第２の収容部を連通させる連通部を備えた筒状体から成り、
（ｅ）前記各容器の首部に形成されたねじ部と、前記第１、第２の収容部の内周面に形成された螺合部とを螺合させることによって、前記各容器が前記コネクタにより密封状態で連結され、
（ｆ）前記連通部は、前記各容器がコネクタによって連結された状態において、各容器の首部の内周面より径方向内方に向けて突出させられて絞り部及びシール面を形成する環状凸部を備え、
（ｇ）前記支持装置は、支持部材、及び該支持部材に対して着脱自在に、かつ、回転自在に配設され、容器ユニットを保持する保持部材を備え、
（ｈ）該保持部材は、前記コネクタを挟持する第１、第２の軸部材を備えることを特徴とする作業療法用玩具。
【請求項２】
前記各容器は、各容器の首部の端面が前記環状凸部のシール面に押し付けられることによって前記コネクタにより密封状態で連結される請求項１に記載の作業療法用玩具。
【請求項３】
前記コネクタの外周面に、保持部材に形成された貫通穴内でコネクタが軸方向に移動するのを防止するための係止部が形成される請求項１又は２に記載の作業療法用玩具。
【発明の詳細な説明】
【技術分野】
【０００１】
本発明は、作業療法用玩具に関するものである。
【背景技術】
【０００２】
従来、発達障害児、障害者、高齢者等の作業療法の対象者の視覚、聴覚、触覚等の感覚に対して刺激を与えることによって、身体的機能を向上させるようにしている。
【０００３】
そして、作業療法として、例えば、輪郭が描かれた図案に着色することによって視覚に対して刺激を与える塗り絵が多く利用されている（例えば、特許文献１参照。）。
【先行技術文献】
【特許文献】
【０００４】
【特許文献１】特開２００８−２９６５６６号公報
【発明の概要】
【発明が解決しようとする課題】
【０００５】
しかしながら、前記従来の塗り絵においては、作業療法の対象者の視覚に対して刺激を与えることができるが、聴覚、触覚等の他の感覚に対して刺激を与えることができないので、身体的機能を十分に向上させることができない。
【０００６】
また、塗り絵は着色してしまうと、作業療法において繰り返し利用することができない。
【０００７】
本発明は、前記従来の塗り絵の問題点を解決して、作業療法の対象者の視覚だけでなく、聴覚、触覚等の複数の感覚に対して刺激を与えることができ、視知覚、聴知覚等を介して外界への興味を引き出すとともに、注意力、目と手との協調性、上肢機能等を向上させることができる作業療法用玩具を提供することを目的とする。
【課題を解決するための手段】
【０００８】
そのために、本発明の作業療法用玩具においては、首部にねじ部が形成された二つの透明な容器、及び前記ねじ部で各容器を連結するコネクタを備えた容器ユニットと、該容器ユニットを、前記コネクタを介して回転自在に、かつ、着脱自在に支持する支持装置とを有する。
【０００９】
そして、前記容器内に所定の量の流動体及び多数の有色の移動体が収容される。
また、前記コネクタは、内周面に、前記二つの容器のうちの一方の容器の首部を収容する第１の収容部、前記二つの容器のうちの他方の容器の首部を収容する第２の収容部、及び第１、第２の収容部を連通させる連通部を備えた筒状体から成る。
そして、前記各容器の首部に形成されたねじ部と、前記第１、第２の収容部の内周面に形成された螺合部とを螺合させることによって、前記各容器が前記コネクタにより密封状態で連結される。
また、前記連通部は、前記各容器がコネクタによって連結された状態において、各容器の首部の内周面より径方向内方に向けて突出させられて絞り部及びシール面を形成する環状凸部を備える。
そして、前記支持装置は、支持部材、及び該支持部材に対して着脱自在に、かつ、回転自在に配設され、容器ユニットを保持する保持部材を備える。
また、該保持部材は、前記コネクタを挟持する第１、第２の軸部材を備える。
【発明の効果】
【００１０】
本発明によれば、作業療法用玩具においては、首部にねじ部が形成された二つの透明な容器、及び前記ねじ部で各容器を連結するコネクタを備えた容器ユニットと、該容器ユニットを、前記コネクタを介して回転自在に、かつ、着脱自在に支持する支持装置とを有する。
【００１１】
そして、前記容器内に所定の量の流動体及び多数の有色の移動体が収容される。
また、前記コネクタは、内周面に、前記二つの容器のうちの一方の容器の首部を収容する第１の収容部、前記二つの容器のうちの他方の容器の首部を収容する第２の収容部、及び第１、第２の収容部を連通させる連通部を備えた筒状体から成る。
そして、前記各容器の首部に形成されたねじ部と、前記第１、第２の収容部の内周面に形成された螺合部とを螺合させることによって、前記各容器が前記コネクタにより密封状態で連結される。
また、前記連通部は、前記各容器がコネクタによって連結された状態において、各容器の首部の内周面より径方向内方に向けて突出させられて絞り部及びシール面を形成する環状凸部を備える。
そして、前記支持装置は、支持部材、及び該支持部材に対して着脱自在に、かつ、回転自在に配設され、容器ユニットを保持する保持部材を備える。
また、該保持部材は、前記コネクタを挟持する第１、第２の軸部材を備える。
【００１２】
この場合、回転自在に配設された容器ユニットの各容器内に、所定の量の流動体及び多数の有色の移動体が収容されるので、容器ユニットを回動させると、容器内の流動体は、乱流を形成しながら下方の容器内に急速に落下し、これに伴って、各色の移動体が、互いに衝突を繰り返しながら下方の容器に移動させられる。そして、各移動体が衝突するときに、各種の音が発生する。
【００１３】
また、流動体が下方の容器に移動させられる際に、下方の容器内の空気が流動体の流れに逆らって、連通路を介して上方の容器内に移動させられるので、流動体内に気泡が形成されるとき、気泡が流動体の表面に到達して弾けるとき等に大小の音が発生するだけでなく、容器ユニットに振動が発生する。
【００１４】
したがって、作業療法の対象者が作業療法用玩具を操作し、容器ユニットを回動させるだけで、各色の移動体を多様に挙動させ、各種の音を発生させるとともに、容器ユニットに振動を発生させることができるので、作業療法の対象者の視覚、聴覚、触覚等の感覚に対して刺激を与えることができ、視知覚、聴知覚等を介して外界への興味を引き出すとともに、注意力、目と手との協調性、上肢機能等を向上させることができる。また、作業療法において、作業療法用玩具を繰り返し利用することができる。
【図面の簡単な説明】
【００１５】
【図１】本発明の実施の形態における作業療法用玩具の斜視図である。
【図２】本発明の実施の形態における作業療法用玩具の分解斜視図である。
【図３】本発明の実施の形態におけるコネクタの斜視図である。
【図４】本発明の実施の形態におけるコネクタの縦断面図である。
【図５】本発明の実施の形態におけるコネクタと容器との連結方法を説明するための図である。
【図６】本発明の実施の形態におけるコネクタと容器との連結状態を示す断面図である。
【図７】本発明の実施の形態における作業療法用玩具の使用方法を説明するための図である。
【発明を実施するための形態】
【００１６】
以下、本発明の実施の形態について図面を参照しながら詳細に説明する。
【００１７】
図１は本発明の実施の形態における作業療法用玩具の斜視図、図２は本発明の実施の形態における作業療法用玩具の分解斜視図である。
【００１８】
図において、１１は組立自在に形成された作業療法用玩具であり、該作業療法用玩具１１は、容器ユニット１２、及び該容器ユニット１２を回動自在に、かつ、着脱自在に支持する支持装置１３を備える。
【００１９】
前記容器ユニット１２は、無色で透明な樹脂製の二つの容器１５、及び該各容器１５を密封状態で連結する容器連結具としてのコネクタ１６を備える。該コネクタ１６は、連結要素として機能し、各容器１５を連結するとともに、被支持要素として機能し、容器ユニット１２がコネクタ１６を介して支持装置１３によって支持される。
【００２０】
本実施の形態においては、容器１５としてペットボトルが使用されるが、他のボトルを使用することができる。また、本実施の形態においては、無色で透明な容器１５が使用されるが、有色で透明な容器を使用することができる。
【００２１】
そして、前記支持装置１３は、組立自在に形成され、机、テーブル等に作業療法用玩具１１を載置するための支持部材１８、及び該支持部材１８に対して着脱自在に、かつ、回転自在に配設され、容器ユニット１２を保持する保持部材１９を備える。前記支持部材１８は、所定の形状、本実施の形態においては、三角形の形状を有する立上部２１、及び該立上部２１の下端において、前方に向けて突出させて形成された一対の脚部２２、２３を備える。本実施の形態において、前記脚部２２、２３は、前記立上部２１と一体に形成されるが、立上部２１に対して着脱自在に形成することができる。そして、前記立上部２１の上端には、保持部材１９を回転自在に支持するための軸受部としての、かつ、支持部としての有底の穴２４が形成される。
【００２２】
また、前記保持部材１９は、半割り構造を有する樹脂製の軸体から成り、半円形の形状を有し、両側から前記コネクタ１６を狭持する第１、第２の軸部材としての挟持片２５、２６、及び該挟持片２５、２６を連結する連結部としてのリング２７を備える。そして、前記挟持片２５、２６は、所定の長さを有する本体部３１及び該本体部３１の一端に形成されたフランジ部３２を備え、前記本体部３１の軸方向におけるほぼ中央に、半円形の形状を有する凹部３３が形成される。該凹部３３の内周面の複数箇所、本実施の形態においては、３箇所に、弧状の形状を有する第１の係止要素としての突起３５が突出させて形成される。
【００２３】
前記各フランジ部３２を対向させ、各凹部３３によって前記コネクタ１６を挟むようにして挟持片２５、２６を合わせ、前記リング２７を挟持片２５、２６の先端部に外嵌（かん）させることによって保持部材１９が組み立てられると、前記各本体部３１によって所定の径を有する回転軸３８が形成され、前記各フランジ部３２によって回転軸３８より径の大きい円形の形状を有する被支持部３９が形成され、前記各凹部３３によって、コネクタ１６を収容し、かつ、挟持するための貫通穴が形成される。
【００２４】
そして、前記被支持部３９を穴２４内に嵌入させることによって、図１に示されるような作業療法用玩具１１が組み立てられる。
【００２５】
次に、前記コネクタ１６について説明する。
【００２６】
図３は本発明の実施の形態におけるコネクタの斜視図、図４は本発明の実施の形態におけるコネクタの縦断面図、図５は本発明の実施の形態におけるコネクタと容器との連結方法を説明するための図、図６は本発明の実施の形態におけるコネクタと容器との連結状態を示す断面図である。
【００２７】
前記コネクタ１６は、両端に開口ｍ１、ｍ２を備えた筒状体から成り、外周面の軸方向における複数箇所、本実施の形態においては、３箇所に、第２の係止要素としての環状の係止部４３〜４５が形成される。該各係止部４３〜４５は、複数の環状の凸部を形成することによって形成された溝であり、作業療法用玩具１１を組み立てたときに、前記各突起３５と係止させられる。したがって、保持部材１９に形成された貫通穴内でコネクタ１６が軸方向に移動するのを防止することができる。
【００２８】
また、前記コネクタ１６の内周面には、各容器１５の首部４６を密封状態で収容するための螺（ら）合穴４８が形成される。該螺合穴４８は、コネクタ１６の一端から進入させた一方の容器１５の首部４６を収容する第１の収容部５１、コネクタ１６の他端から進入させた他方の容器１５の首部４６を収容する第２の収容部５２、及び前記第１、第２の収容部５１、５２間、すなわち、コネクタ１６の軸方向における所定の箇所、本実施の形態においては、コネクタ１６の中央部に形成され、第１、第２の収容部５１、５２の内周面を連通させる連通部５３を備える。そして、前記第１、第２の収容部５１、５２には、各容器１５の首部４６に形成されたねじ部５５とそれぞれ螺合させられる螺合部５６、５７が形成される。また、前記連通部５３には、径方向内方に向けて、所定の量だけ突出させて環状凸部５８が形成される。
【００２９】
該環状凸部５８は、第１、第２の収容部５１、５２に臨ませて、かつ、開口ｍ１、ｍ２と対向させて形成された第１、第２の面Ｓ１、Ｓ２、及び連通部５３に臨ませて、かつ、軸方向に延在させて形成された第３の面Ｓ３を備える。前記第１、第２の面Ｓ１、Ｓ２は平坦（たん）に形成され、前記第３の面Ｓ３には所定の凹凸が形成される。なお、前記第１、第２の面Ｓ１、Ｓ２によってシール面が構成される。
【００３０】
前記各ねじ部５５と螺合部５６、５７とを螺合させて、各ねじ部５５で各容器１５をコネクタ１６によって連結すると、各首部４６及び環状凸部５８によって、各容器１５内を連通させる連通路としての、径の小さい流路、すなわち、絞り部６９が形成される。このとき、該絞り部６９において、各首部４６の先端の端面６１が第１、第２の面Ｓ１、Ｓ２に所定の圧力で押し付けられるので、コネクタ１６によって各容器１５が密封状態で連結される。なお、各容器１５とコネクタ１６とを連結した状態で、前記環状凸部５８は、各容器１５の首部４６の内周面Ｓ１１より径方向内方に所定の量だけ突出させられる。
【００３１】
次に、前記構成の作業療法用玩具１１を利用した作業療法について説明する。
【００３２】
図７は本発明の実施の形態における作業療法用玩具の使用方法を説明するための図である。
【００３３】
図において、１１は作業療法用玩具、１２は容器ユニット、１５は容器、１６はコネクタである。前記容器１５内には流動体としての液体、本実施の形態においては、無色の水６５が収容され、各容器１５を前記コネクタ１６によって連結することにより、各容器１５内を水６５が移動させられる。この場合、収容される水６５の量をＱｗとし、容器１５の容積をＱｂとすると、
Ｑｗ＜２・Ｑｂ
に、好ましくは、
Ｑｗ＜Ｑｂ
にされる。
【００３４】
そして、前記容器１５内には、多数の移動体としての粒状体６６が水６５と共に収容される。前記粒状体６６は、例えば、所定の比重を有する樹脂によって形成された各種の色のビーズから成り、水６５より比重を大きくすると、定常状態において容器１５内で下方に沈んだ状態になり、水６５より比重を小さくすると、定常状態において容器１５内で浮遊した状態になる。
【００３５】
本実施の形態においては、流動体として水６５が使用されるが、水以外の液体を使用することができる。また、前記流動体として無色の水が使用されるが、水に各種の顔料を添加することによって有色の水を使用することができる。
【００３６】
そして、本実施の形態においては、移動体として粒状体６６が使用されるが、移動体として偏平な小片を使用したり、所定の形状を有する成形物を使用したりすることができる。小片、成形物等は、幾何学的な形状を有するように形成したり、魚、小鳥、小動物、人形、星等のキャラクタを表すようにして形成したりすることができる。
【００３７】
前記作業療法用玩具１１において、容器ユニット１２を回動させ、一方の容器１５が上に、他方の容器１５が下になるようにすると、上方の容器１５内の水６５及び粒状体６６が絞り部６９を介して下方の容器１５に移動させられる。そして、すべての水６５及び粒状体６６が下方の容器１５に移動させられた後、再び容器ユニット１２を回動させて他方の容器１５が上に、一方の容器１５が下になるようにすると、再び上方の容器１５内の水６５及び粒状体６６が絞り部６９を介して下方の容器１５に移動させられる。
【００３８】
このとき、絞り部６９において水６５の流れが絞られるので、水６５は乱流を形成しながら下方の容器１５内に急速に落下し、これに伴って、各色の粒状体６６が、互いに衝突を繰り返しながら下方の容器１５に移動させられる。そして、各粒状体６６が衝突するときに、各種の音が発生する。また、前記絞り部６９における環状凸部５８の部分は内径が更に小さくされるので、水６５の流れが一層絞られる。したがって、各粒状体６６が互いに衝突するときに多様な音を発生させることができる。なお、環状凸部５８の形状を変更したり、内径を更に小さくしたり、環状凸部５８の第３の面Ｓ３の凹凸の形状を変更したりすることによって、水６５の流れを変更し、例えば、スパイラル流を発生させることができる。その場合、各粒状体６６が衝突するときに多様な音を一層発生させることができる。
【００３９】
また、水６５が下方の容器１５に移動させられる際に、下方の容器１５内の空気が水６５の流れに逆らって、絞り部６９を介して上方の容器１５内に移動させられるので、水６５内に気泡が形成されるとき、気泡が水６５の表面、すなわち、水面に到達して弾けるとき等に大小の音が発生するだけでなく、容器ユニット１２に振動が発生する。
【００４０】
したがって、作業療法の対象者が作業療法用玩具１１を操作し、容器ユニット１２を回動させるだけで、各色の粒状体６６を多様に挙動させ、各種の音を発生させるとともに、容器ユニット１２に振動を発生させることができるので、作業療法の対象者の視覚、聴覚、触覚等の感覚に対して刺激を与えることができ、視知覚、聴知覚等を介して外界への興味を引き出すとともに、注意力、目と手との協調性、上肢機能等を向上させることができる。また、作業療法において、作業療法用玩具１１を繰り返し利用することができる。
【００４１】
しかも、本実施の形態においては、容器１５としてペットボトルを使用することができるので、作業療法用玩具１１のコストを低くすることができる。また、作業療法用玩具１１は組立自在に形成されるので、容器１５内の水６５及び粒状体６６を容易に交換することができる。
【００４２】
さらに、前記各容器１５はコネクタ１６によって密封状態で連結されるので、容器１５から水６５が漏れることはない。
【００４３】
なお、水６５及び粒状体６６を交換する場合は、容器ユニット１２及び保持部材１９を支持装置１３から取り外し、回転軸３８からリング２７を取り外すことによって、挟持片２５と挟持片２６とを分離させることができる。したがって、コネクタ１６を容器１５から取り外すことによって、開口ｍ１、ｍ２を開放させ、水６５及び粒状体６６を交換することができる。
【００４４】
なお、本発明は前記実施の形態に限定されるものではなく、本発明の趣旨に基づいて種々変形させることが可能であり、それらを本発明の範囲から排除するものではない。
【符号の説明】
【００４５】
１１    作業療法用玩具
１２    容器ユニット
１３    支持装置
１５    容器
１６    コネクタ
４６    首部
５５    ねじ部
６５    水
６６    粒状体
【図１】
0005602479.tif 000002
【図２】
0005602479.tif 000003
【図３】
0005602479.tif 000004
【図４】
0005602479.tif 000005
【図５】
0005602479.tif 000006
【図６】
0005602479.tif 000007
【図７】
0005602479.tif 000008